(57)【要約】【課題】  構造が簡単でかつ防水性に優れた基板の取付構造を提供する。【解決手段】  ダイキャスト製のケース１０の内面１０ａに基板１１を接着剤１２を介して固着すると共に、該ダイキャスト製のケース１０にコネクタ３０を取り付け、かつ、基板１１のランドとコネクタ３０のターミナル３２とをボンディングワイヤ３４を介して電気的に接続するようにした基板の取付構造において、コネクタ３０を、内部に複数のターミナル３２を埋設したコネクタハウジング３１で構成し、このコネクタハウジング３１を金属製のケース１０の外面１０ｂにパッキン材３６を介在して締結手段３５により締結固定すると共に、該コネクタハウジング３１の複数のターミナル３２の基端部３２ｂを基板１１のランドの近傍に配置し、この基板１１のランドと複数のターミナル３２の基端部３２ｂとをボンディングワイヤ３４を介して電気的に接続した。【選択図】      図３
2006112963.tif 000002
【特許請求の範囲】
【請求項１】
金属製のケースの内面に基板を接着剤を介して固着すると共に、該金属製のケースにコネクタを取り付け、かつ、前記基板のランドと前記コネクタのターミナルとをボンディングワイヤを介して電気的に接続するようにした基板の取付構造において、
前記コネクタは、前記金属製のケースの一端近傍の内面に固定され、複数のターミナルを樹脂のインサート成形により一体形成したインサート成形品と、前記金属製のケースの他端近傍の外面に固定され、内部に複数のターミナルを埋設したコネクタハウジングとで構成され、前記コネクタハウジングは、前記金属製のケースの他端に形成された開口部に嵌合される嵌合部と該ケースの他端近傍の外面に固定される締結固定部とを備え、前記金属製のケースの開口部回りの外面と前記コネクタハウジング間に両者をシールするパッキン材を介在させると共に、前記インサート成形品および前記コネクタハウジングのそれぞれ複数のターミナルの基端部を前記基板のランドの近傍に配置し、かつこの基板のランドと前記複数のターミナルの基端部とをボンディングワイヤを介して電気的に接続したことを特徴とする基板の取付構造。
【発明の詳細な説明】
【技術分野】
【０００１】
本発明は、金属製のケースに取り付けられる基板のランドとコネクタのターミナルとをボンディングワイヤを介して電気的に接続するようにした基板の取付構造に関する。
【背景技術】
【０００２】
この種の基板の取付構造として、図５に示すものがある（例えば、特許文献１参照）。図５に示すように、金属ベース１の上面１ａには、基板２を接着剤３を介して固着してある。また、金属ベース１の上面１ａに形成した突起１ｂには樹脂製で枠状のハウジング４の下溝４ａを嵌合と接着により結合してあり、この枠状のハウジング４内の金属ベース１上に基板２が収容されている。
【０００３】
そして、基板２上の図示しないパッドとハウジング４のコネクタ部５の端子６とはボンディングワイヤ７を介して電気的に接続されている。尚。ハウジング４はカバー８により覆われている。
【０００４】
【特許文献１】特開平６−１０９５０８号公報
【発明の開示】
【発明が解決しようとする課題】
【０００５】
しかしながら、前記従来の基板２の取付構造では、ハウジング４の上溝４ｂにカバー８を嵌合する構成になっているため、ハウジング４（コネクタ部５）と金属ベース１間及び該ハウジング４とカバー８間の防水対策が難しかった。
【０００６】
そこで、本発明は、前記した課題を解決すべくなされたものであり、構造が簡単でかつ防水性に優れた基板の取付構造を提供することを目的とする。
【課題を解決するための手段】
【０００７】
請求項１の発明は、金属製のケースの内面に基板を接着剤を介して固着すると共に、該金属製のケースにコネクタを取り付け、かつ、前記基板のランドと前記コネクタのターミナルとをボンディングワイヤを介して電気的に接続するようにした基板の取付構造において、前記コネクタは、前記金属製のケースの一端近傍の内面に固定され、複数のターミナルを樹脂のインサート成形により一体形成したインサート成形品と、前記金属製のケースの他端近傍の外面に固定され、内部に複数のターミナルを埋設したコネクタハウジングとで構成され、前記コネクタハウジングは、前記金属製のケースの他端に形成された開口部に嵌合される嵌合部と該ケースの他端近傍の外面に固定される締結固定部とを備え、前記金属製のケースの開口部回りの外面と前記コネクタハウジング間に両者をシールするパッキン材を介在させると共に、前記インサート成形品および前記コネクタハウジングのそれぞれ複数のターミナルの基端部を前記基板のランドの近傍に配置し、かつこの基板のランドと前記複数のターミナルの基端部とをボンディングワイヤを介して電気的に接続したことを特徴とする。
【発明の効果】
【０００８】
以上説明したように、請求項１の発明によれば、金属製のケースに取り付けられるコネクタは、該金属製のケースの一端近傍の内面に固定され、複数のターミナルを樹脂のインサート成形により一体形成したインサート成形品と、前記金属製のケースの他端近傍の外面に固定され、内部に複数のターミナルを埋設したコネクタハウジングとで構成され、該コネクタハウジングは、金属製のケースの他端に形成された開口部に嵌合される嵌合部と該ケースの他端近傍の外面に固定される締結固定部とを備え、前記金属製のケースの開口部回りの外面と前記コネクタハウジング間に両者をシールするパッキン材を介在させると共に、前記インサート成形品および前記コネクタハウジングのそれぞれ複数のターミナルの基端部を前記基板のランドの近傍に配置し、かつこの基板のランドと前記複数のターミナルの基端部とをボンディングワイヤを介して電気的に接続したことにより、ケースとコネクタ間を簡単な構造により確実に防水することができる。
【発明を実施するための最良の形態】
【０００９】
以下、本発明の実施例１を図面に基づいて説明する。
【実施例１】
【００１０】
図１は本発明の実施例１の基板の取付構造を適用したケースの斜視図、図２は同ケースの底面図、図３は同ケースの断面図、図４は同ケースの内面に固着される基板の接着部分を示す説明図である。
【００１１】
図１〜図４に示すように、ケース１０はアルミニウム合金等のダイキャスト製で箱形に形成してあり、その内面１０ａの中央には、略矩形板状のプリント回路基板（基板）１１を接着剤１２を介して固着してある。このプリント回路基板１１の裏面の周囲及び中央には、図４の１点鎖線の斜線で示すように、接着剤１２の糊代Ｎを設けてある。また、ケース１０の内面１０ａの一端側にはコネクタ２０の両側をビス２５を介して締結固定してあると共に、該ケース１０の他端側にはコネクタ３０を嵌合するための矩形の開口部１０ｄを形成してある。尚、このケース１０は、例えば、ディーゼルエンジンのターボチャージャの可変ノズルの角度を変えるためのアクチュエータの制御部分を成す蓋体として用いられるものである。
【００１２】
図２〜図４に示すように、コネクタ２０は、複数のターミナル（端子）２２の中途部を合成樹脂のインサート成形により一体形成した断面Ｌ字形のインサート成形品２１から成り、このインサート成形品２１の両側には締結固定部２１ａ，２１ａをそれぞれ形成してある。この一対の締結固定部２１ａ，２１ａにビス（締結手段）２５を貫通させ、かつ、ダイキャスト製のケース１０の内面１０ａに形成された図示しない螺子穴に螺合することにより、コネクタ２０がケース１０の内面１０ａに締結固定されるようになっている。
【００１３】
また、複数のターミナル２２はＬ字状に折り曲げ形成されており、その各先端部２２ａはインサート成形品２１の上面より上方に突出するように露出している。そして、この複数のターミナル２２の各先端部２２ａには図示しない被制御電装部品用の相手側コネクタが嵌め込まれるようになっていて、例えば、モータ側へ電源や信号等を供給するようになっている。さらに、複数のターミナル２２の各基端部２２ｂはインサート成形品２１上に露出していると共に、該各基端部２２ｂとプリント回路基板１１に形成されたランド１１ａ上のボンディングパッド２３とはボンディングワイヤ２４を介して電気的に接続されている。このボンディングワイヤ２４はニッケルを含んだアルミボンディングワイヤが用いられている。
【００１４】
図１〜図４に示すように、コネクタ３０は、内部に複数のターミナル（端子）３２の中途部を埋設した合成樹脂製のコネクタハウジング３１から成り、このコネクタハウジング３１はフード部３１ａと締結固定部３１ｂと嵌合部３１ｃを備えている。そして、コネクタハウジング３１の締結固定部３１ｂに各ボルト（締結手段）３５を貫通させ、かつ、ダイキャスト製のケース１０の外面１０ｂに形成された各螺子穴１０ｃに螺合して締結固定すると共に、該コネクタハウジング３１の嵌合部３１ｃをケース１０の開口部１０ｄに嵌め込むようになっている。この際、ケース１０の外面１０ｂの開口部１０ｄの回りに形成された溝状の凹部１０ｅとコネクタハウジング３１の締結固定部３１ｂの底面との間には液状パッキン或いはシリコン系の弾性接着剤等から成るパッキン材３６を介在させてその両者間をシールするようになっている。
【００１５】
また、複数のターミナル３２は略コ字状に折り曲げ形成されており、その各先端部３２ａはコネクタハウジング３１のフード部３１ａ内に露出している。そして、この複数のターミナル３２の各先端部３２ａには図示しない外部電源や通信システム用の相手側コネクタが嵌め込まれるようになっていて、例えば、車両側から電源や信号等を供給するようになっている。さらに、複数のターミナル３２の各基端部３２ｂはコネクタハウジング３１の嵌合部３１ｃの底面に当接して露出している。この複数のターミナル３２の各基端部３２ｂはプリント回路基板１１に形成されたランド１１ｂの近傍に配置されており、該各基端部３２ｂとプリント回路基板１１のランド１１ｂ上のボンディングパッド３３とはボンディングワイヤ３４を介して電気的に接続されている。このボンディングワイヤ３４はニッケルを含んだアルミボンディングワイヤが用いられている。
【００１６】
以上実施例１のケース１０へのプリント回路基板１１と各コネクタ２０，３０の取付構造によれば、プリント回路基板１１の各ランド１１ａ，１１ｂと各コネクタ２０，３０のターミナル２２，３２とをボンディングワイヤ２４，３４を介して電気的に接続したことにより、ダイキャスト製のケース１０とプリント回路基板１１間の熱膨張の差や振動等によってダイキャスト製のケース１０に対してプリント回路基板１１が動いても、該プリント回路基板１１の動きや振動等をボンディングワイヤ２４，３４によって確実に吸収することができる。これにより、常に良好な通電状態を維持することができる。また、ダイキャスト製のケース１０の内面１０ａにプリント回路基板１１を固着した接着剤１２によっても上記振動等を吸収することができる。その結果、耐振性及び絶縁性に優れたプリント回路基板１１の取付構造を有するケース１０を簡単な構造でかつ低コストで提供することができる。
【００１７】
また、複数のターミナル２２を合成樹脂のインサート成形により一体形成したインサート成形品２１でコネクタ２０を構成したことにより、コネクタ２０の形状を簡単かつ低コストで変更することができる。この変更したインサート成形品の形状によって様々なモータ等の被制御電装部品への電気的な接続を簡単かつ低コストで行うことができる。
【００１８】
さらに、ケース１０の外面１０ｂの開口部１０ｄの回りの溝状の凹部１０ｅとコネクタ３０のコネクタハウジング３１の締結固定部３１ｂの底面との間に液状パッキン或いはシリコン系の弾性接着剤等から成るパッキン材３６を介在させて、コネクタハウジング３１をボルト３５を介してケース１０の外面１０ｂに締結固定したことにより、ケース１０とコネクタ３０間を確実にシールすることができる。
【００１９】
さらに、ケース１０の外面１０ｂの開口部１０ｄの回りの凹部１０ｅ内に液状パッキン或いはシリコン系の弾性接着剤等から成るパッキン材３６を充填するだけで済むため、防水構造を簡素化することができる。
【００２０】
尚、前記実施例１によれば、可変ノズル駆動用のアクチュエータのケースに適用した場合を説明したが、これ以外のケースに前記実施例１の基板の取付構造を適用できることは勿論である。
【図面の簡単な説明】
【００２１】
【図１】本発明の実施例１の基板の取付構造を適用したケースの斜視図である。
【図２】上記ケースの底面図である。
【図３】上記ケースの断面図である。
【図４】上記ケースの内面に固着される基板の接着部分を示す説明図である。
【図５】従来の基板の取付構造を示す断面図である。
【符号の説明】
【００２２】
１０  ケース
１０ａ  内面
１０ｂ  外面
１０ｄ  開口部
１１  プリント回路基板（基板）
１１ａ  ランド
１１ｂ  ランド
１２  接着剤
２０  コネクタ
２１  インサート成形品
２２  ターミナル
２２ｂ  基端部
２４  ボンディングワイヤ
２５  ビス（締結手段）
３０  コネクタ
３１  コネクタハウジング
３１ｂ  締結固定部
３１ｃ  嵌合部
３２  ターミナル
３２ｂ  基端部
３４  ボンディングワイヤ
３５  ボルト（締結手段）
【図１】
2006112963.tif 000003
【図２】
2006112963.tif 000004
【図３】
2006112963.tif 000005
【図４】
2006112963.tif 000006
【図５】
2006112963.tif 000007